(57)【特許請求の範囲】
【請求項１】
発表者による電子プレゼンテーションを提供するシステムであって、
プログラム可能なコンピュータによりアクセスできる第１のメモリ内に記憶された複数のプレゼンテーションスライドと、
前記プログラム可能なコンピュータに結合され、第１の映像入力信号を有する第１の表示画面と、
前記プログラム可能なコンピュータに結合され、第２の映像入力信号を有する第２の表示画面と、
前記プログラム可能なコンピュータに結合され、第３の映像入力信号を有する第３の表示画面と、
前記プログラム可能なコンピュータによりアクセスできる第２のメモリ内に記憶されたプレゼンテーション制御アプリケーションと
を含み、
前記プログラム可能なコンピュータが、前記プレゼンテーション制御アプリケーションを実行して、前記第３の表示画面上に表示されるインターフェースを提供するように構成されており、前記インターフェースにより、前記複数のスライドの各々が、前記第１または第２の表示画面のどちらかに表示するために振り分けられ、
前記インターフェースが、
前記第１の映像入力信号に対応する第１の画像を表示する第１のウィンドウと、
前記第２の映像入力信号に対応する第２の画像を表示する第２のウィンドウであって、前記第１の画像および前記第２の画像は、前記複数のプレゼンテーションスライドのうちの少なくとも１つのスライドに対応する、第２のウィンドウと、
次のプレゼンテーションスライドの画像を表示する第３のウィンドウであって、前記次のプレゼンテーションスライドは、次に前記第１または第２の表示画面に指向されるスライドである、第３のウィンドウと、
前記インターフェースの上部に沿った記憶呼び起こしバーと
を同時に表示するように構成されており、前記記憶呼び起こしバーは、前記第３のウィンドウに表示された次のプレゼンテーションスライドの画像に関する簡単な覚書を提供する記憶呼び起こし文章を表示する、システム。
【請求項２】
前記複数のスライドがプレゼンテーションファイル内に配置されている、請求項１に記載のシステム。
【請求項３】
前記第１のメモリ内に記憶された複数のプレゼンテーションファイルを更に含み、
前記プレゼンテーション制御アプリケーションが、
前記インターフェースを介して前記複数のプレゼンテーションファイルのリストを表示することと、
前記インターフェースを介して受信された入力に基づいて１つのプレゼンテーションファイルを選択することと
を行うように更に構成されている、請求項２に記載のシステム。
【請求項４】
前記プログラム可能なコンピュータに結合された複数の入力と、前記第１および第２の表示画面に結合された複数の出力とを有する映像スイッチを更に含み、
前記映像スイッチが、いずれかの入力をいずれかの出力に選択的に結合するように構成することが可能である、請求項１に記載のシステム。
【請求項５】
前記映像スイッチの特定の１つの入力に結合された実演映像出力を提供する実演コンピュータを更に含み、
前記プレゼンテーション制御アプリケーションが、前記実演映像出力を前記第１または第２の表示画面のどちらかに指向するように構成されている、請求項４に記載のシステム。
【請求項６】
前記プレゼンテーションファイルに関連付けられたプレファレンスデータを更に含み、
前記プレファレンスデータが、前記第１のメモリ内に記憶され、１つ以上のエントリを含み、各エントリが前記プレゼンテーションファイルのスライドに関連付けられ、
前記プレゼンテーション制御アプリケーションが、特定のスライドに対応する前記プレファレンスデータ内のエントリに基づいて、特定のスライドを前記第１または第２の表示画面のどちらかに自動的に振り分けるように構成されている、請求項２に記載のシステム。
【請求項７】
前記特定のスライドを振り分けた後、前記プレゼンテーション制御アプリケーションが前記プレゼンテーションファイル内の次のスライドを取り出す、請求項６に記載のシステム。
【請求項８】
前記第３の表示画面がタッチ画面装置である、請求項７に記載のシステム。
【請求項９】
前記プログラム可能なコンピュータ上で実行し、前記プレゼンテーション制御アプリケーションとインターフェースするスライド注釈アプリケーションを更に含む、請求項６に記載のシステム。
【請求項１０】
前記インターフェースが、選択機構を更に含み、前記選択機構が、前記第１および第２のウィンドウのうちの１つを注釈付けのために選択し、前記スライド注釈アプリケーションを起動するように構成されており、前記第１および第２のウィンドウのうちの１つのウィンドウが選択されたときに、前記選択されたウィンドウに対応する画像が、前記インターフェースの全表示領域をほとんど満たすまで拡大される、請求項９に記載のシステム。
【請求項１１】
前記第３の表示画面が、触覚フィードバック情報をそれぞれ前記スライド注釈アプリケーションに提供するように構成されており、前記プレゼンテーション制御アプリケーションが、それぞれの触覚フィードバック情報と、選択されたウィンドウとに基づいて、前記第１および第２の映像入力信号のうちの１つを修正するように構成されている、請求項１０に記載のシステム。
【請求項１２】
前記スライド注釈アプリケーションが、前記それぞれの触覚フィードバック情報に基づいて、注釈履歴ファイルを前記第１のメモリ内に記憶するように構成されている、請求項１１に記載のシステム。
【請求項１３】
前記プレゼンテーション制御アプリケーションが、表示のために振り分けられた特定のスライドに関連付けられたいずれかの注釈履歴ファイルを取り出すように構成されており、前記第１、第２または第３の表示画面のいずれかでの前記特定のスライドの表示が、前記注釈履歴ファイルに従って修正される、請求項１２に記載のシステム。
【請求項１４】
前記第１の映像入力信号が、現在のプレゼンテーションスライドの全景描写に対応し、
前記第２の映像入力信号が、前記現在のプレゼンテーションスライドの一部分の拡大描写に対応する、請求項１に記載のシステム。
【請求項１５】
前記プレゼンテーション制御アプリケーションが、前記現在のプレゼンテーションスライドの一部分を選択する選択ツールを更に含む、請求項１４に記載のシステム。
【請求項１６】
複数の表示画面を用いて複数のスライドの電子プレゼンテーションを提供する方法であって、
第３の表示画面上にプレゼンテーション制御インターフェースを提供する工程と、
前記複数のスライドの中からスライドを前記プレゼンテーション制御インターフェース内のプレビューウィンドウに表示する工程と、
前記プレゼンテーション制御インターフェースを介して、前記スライドを第１の表示画面または第２の表示画面のどちらに指向するかを指示する入力を受信する工程と、
指示された表示画面に表示するために前記スライドを振り分ける工程と、
前記プレビューウィンドウに表示するために次のスライドを取り出す工程であって、前記次のスライドは、次に前記第１または第２の表示画面に指向されるスライドである、工程と、
前記プレゼンテーション制御インターフェース内の前記プレビューウィンドウの前記次のスライドと同時に、前記第１の表示画面上に現在表示されているいずれかのスライドに対応する第１のウィンドウと、前記第２の表示画面上に現在表示されているいずれかのスライドに対応する第２のウィンドウとを表示する工程と、
前記プレゼンテーション制御インターフェースの上部に沿って記憶呼び起こしバーを表示する工程と
を含み、前記記憶呼び起こしバーは、前記プレビューウィンドウに表示された次のスライドに関する簡単な覚書を提供する記憶呼び起こし文章を表示する、方法。
【請求項１７】
複数のプレゼンテーションファイルの第１のリストを取り出す工程であって、各プレゼンテーションファイルが、それぞれの複数のスライドを含む、工程と、
前記プレゼンテーション制御インターフェースを介して前記第１のリストを前記第３の表示画面上に表示する工程と、
前記第１のリストの表示に応答して受信された入力に基づいて、前記電子プレゼンテーションのために前記複数のプレゼンテーションファイルの１つを選択する工程と
を更に含む、請求項１６に記載の方法。
【請求項１８】
前記１つのプレゼンテーションファイルに関連付けられたプレファレンスデータを取り出す工程と、
前記受信された入力が前記スライドの自動的な振り分けを示しているかどうかを決定する工程と、
前記プレファレンスデータ内のエントリを参照して、前記スライドを振り分けるべき表示画面を決定する工程と
を更に含む、請求項１７に記載の方法。
【請求項１９】
前記プレゼンテーションスライドの代わりに実演コンピュータからの映像出力を前記第１または第２の表示画面のいずれか１つに指向する工程を更に含む、請求項１７に記載の方法。
【請求項２０】
前記指向する工程が、
前記実演コンピュータに結合された１つの入力と、前記第１および第２の表示画面に結合されたそれぞれの出力とを含む映像スイッチを選択可能に制御する工程を含む、請求項１９に記載の方法。
【請求項２１】
前記スライドが前記第１の表示画面に振り分けられる場合に、第１の側の映像データとして前記スライドを出力する工程と、
前記スライドが前記第２の表示画面に指向される場合に、第２の側の映像データとして前記スライドを出力する工程と
を更に含む、請求項１６に記載の方法。
【請求項２２】
前記プレゼンテーション制御インターフェースを介して前記第１のウィンドウおよび第２のウィンドウのうちの１つのウィンドウを選択する工程と、
前記第３の表示画面を実質的に満たすように、前記選択されたウィンドウを表示する工程と
を更に含む、請求項２１に記載の方法。
【請求項２３】
タッチ画面装置である前記第３の表示画面に関連付けて注釈アプリケーションを提供する工程を更に含む、請求項２２に記載の方法。
【請求項２４】
前記注釈アプリケーションが、前記選択されたウィンドウに対応する特定のスライドに関連付けられたグラフィックオーバーレイデータを示すフィードバックを前記第３の表示画面から受信するように構成されている、請求項２３に記載の方法。
【請求項２５】
前記選択されたウィンドウが前記第１の表示画面に対応する場合に、前記グラフィックオーバーレイデータに基づいて前記第１の側の映像データを調整する工程と、
前記選択されたウィンドウが前記第２の表示画面に対応する場合に、前記グラフィックオーバーレイデータに基づいて前記第２の側の映像データを調整する工程と
を更に含む、請求項２４に記載の方法。
【請求項２６】
あらゆるグラフィックオーバーレイデータを記憶する工程を更に含む、請求項２４に記載の方法。
【請求項２７】
特定のスライドを表示のために呼び戻す工程と、
呼び戻されたデータに関連付けられたあらゆる記憶されたグラフィックオーバーレイデータを取り出す工程と、
前記取り出されたグラフィックオーバーレイデータと一緒に、前記呼び戻されたスライドをプレビュー画面に表示する工程と、
前記呼び戻されたスライドと前記取り出されたグラフィックオーバーレイデータとを前記第１または第２の表示画面のどちらかに振り分ける工程と
を更に含む、請求項２６に記載の方法。
【請求項２８】
複数の表示画面を用いて複数のスライドの電子プレゼンテーションを提供する命令を有するコンピュータ読み取り可能な媒体であって、
前記命令は、前記命令が実行されると、
第３の表示画面上にプレゼンテーション制御インターフェースを提供する工程と、
前記複数のスライドの中からスライドを前記プレゼンテーション制御インターフェース内のプレビューウィンドウに表示する工程と、
前記プレゼンテーション制御インターフェースを介して、前記スライドを第１の表示画面または第２の表示画面のどちらに指向するかを指示する入力を受信する工程と、
指示された表示画面に表示するために前記スライドを振り分ける工程と、
前記プレビューウィンドウに表示するために次のスライドを取り出す工程であって、前記次のスライドは、次に前記第１または第２の表示画面に指向されるスライドである、工程と、
前記プレゼンテーション制御インターフェース内の前記プレビューウィンドウの前記次のスライドと同時に、前記第１の表示画面上に現在表示されているいずれかのスライドに対応する第１のウィンドウと、前記第２の表示画面上に現在表示されているいずれかのスライドに対応する第２のウィンドウとを表示する工程と、
前記プレゼンテーション制御インターフェースの上部に沿って記憶呼び起こしバーを表示する工程と
を１つ以上のプロセッサに行わせるように構成されており、前記記憶呼び起こしバーは、前記プレビューウィンドウに表示された次のスライドに関する簡単な覚書を提供する記憶呼び起こし文章を表示する、コンピュータ読み取り可能な媒体。
【請求項２９】
前記第１のウィンドウに表示される第１の画像の一部分がズームインのために選択されたときに、前記画像の前記選択された部分のズームインバージョンが前記第２のウィンドウに表示されて、以前に表示されていた第２の画像に取って代わる、請求項１に記載のシステム。
【請求項３０】
前記画像の前記選択された部分のズームインバージョンが前記第２のウィンドウに表示されるときに、前記第３のウィンドウの表示は変化しないままである、請求項２９に記載のシステム。
【請求項３１】
前記選択されたウィンドウの拡大された画像が前記インターフェースの全表示領域をほとんど満たすように表示されたときに、前記選択されたウィンドウに対する記憶呼び起こし文章が前記インターフェースの上部に沿って表示される、請求項１０に記載のシステム。
【発明の詳細な説明】
【技術分野】
【０００１】
本発明は、グループプレゼンテーションシステム及び方法に関し、特に、複数の画面を有する電子プレゼンテーションシステム及び方法に関する。
【０００２】
（関連出願）
本願は、「ＥＬＥＣＴＲＯＮＩＣ  ＩＮＳＴＲＵＣＴＩＯＮＡＬ  ＤＥＬＩＶＥＲＹ  ＳＹＳＴＥＭ  ＡＮＤ  ＭＥＴＨＯＤ」と題し、２００１年５月２５日に提出した米国特許仮出願第６０／２９３，１７９号に関連し、これから優先権を主張する「ＳＹＳＴＥＭ  ＡＮＤ  ＭＥＴＨＯＤ  ＦＯＲ  ＥＬＥＣＴＲＯＮＩＣ  ＰＲＥＳＥＮＴＡＴＩＯＮ」と題し、２００２年５月２４日に提出した米国特許出願第１０／１５３，８５９号の一部継続出願であって、これら双方の開示は、参照することにより本明細書に全体として組み入れられる。
【背景技術】
【０００３】
教育または訓練環境でのような比較的小規模なグループ向けにプレゼンテーションを行う１つの従来方法は、オーバーヘッドプロジェクタ、及び、ビューホイルまたはＯＨＰ用紙の使用を含む。このよく知られた方法によれば、発表者は、予め決定された順序でオーバーヘッドプロジェクタ上に手で置き、その後、そこから取り去る一連のビューホイルを有する。プレゼンテーション中、発表者が動的に資料を発表できるように空白のビューホイルを時々、挿入するが、発表者は、前もって準備したビューホイルに注釈を付ける可能性は低い。その理由は、このような注釈が、将来使えるホイルを駄目にする可能性が高いためである。
【０００４】
自動化の最近の進歩は、この従来のプレゼンテーション方法の欠点の幾つかに対処している。ある場合において、コンピュータで生成されたスライドショーを画面上に、時々、注釈を用いて上映できるように、今では、コンピュータの映像出力をプロジェクタに接続できる。しかし、自動化のこの導入は、プレゼンテーションの資料及び方法の限定され、静止した性質を変えない。
【０００５】
従って、プレゼンテーションを行う環境の各々に応じて容易に修正でき、増やせる資料を発表者が効果的且つ動的に発表できるダイナミックプレゼンテーションシステム及び方法の必要性が残る。
【発明の概要】
【課題を解決するための手段】
【０００６】
本発明は、プレゼンテーション資料を永遠に変更しないプレゼンテーション資料への動的な注釈付けを可能にするのと同時に、プレゼンテーション資料に対して複数の表示画面を与えるシステム及び方法を用いてこれらのニーズ及びその他のニーズに対処する。プレゼンテーション資料を表示画面のどれにでも容易に指向でき、いかなる注釈をも将来使うために保存でき、あるいは、単に消去できる。
【０００７】
本発明の一態様は、電子プレゼンテーションを行うシステムに関する。このシステムは、例えば、プログラム可能なコンピュータによりアクセスできる第１メモリ内に記憶された複数のプレゼンテーションスライドと、プログラム可能なコンピュータに結合され、第１映像入力信号を有する第１の表示画面と、プログラム可能なコンピュータに結合され、第２映像入力信号を有する第２の表示画面と、プログラム可能なコンピュータに結合され、第３映像入力信号を有する第３の表示画面とを含む。プレゼンテーションシステムは、プログラム可能なコンピュータによりアクセスできる第２メモリ内に記憶されたプレゼンテーション制御ソフトウェアアプリケーションをも含み、プログラム可能なコンピュータが、プレゼンテーション制御アプリケーションを実行して、第３の表示画面上に表示されるインターフェースを生成し、これにより、複数のスライドの各々が、第１または第２の表示画面のどちらか一方へ表示するために発信されるように設定されている。第３の表示画面は、現在の右側の画像と、現在の左側の画像と、発信すべき次のスライドの画像とを同時に描くマルチウィンドウ表示の表示インターフェースを含む。プレゼンテーション制御システムを用いて、発表者は、右側または左側の画像のどちらかを選択でき、この画像への注釈付けを実時間で実行できる。
【０００８】
本発明の別の一態様は、複数の表示画面を用いて複数のスライドの電子プレゼンテーションを行うソフトウェアアプリケーション及び方法であって、中央の表示画面上にプレゼンテーション制御インターフェースを生成し、複数のスライドの中から１つのスライドをプレゼンテーション制御インターフェース内のプレビューウィンドウに表示し、プレゼンテーション制御インターフェースを介して、右側の表示画面または左側の表示画面のどちらへスライドを指向するのかを指示する入力を受信し、指示された表示画面へ表示するためにスライドを発信し、プレビューウィンドウに表示するための次のスライドを取り出すソフトウェアアプリケーション及び方法に関する。個々の画面上に表示することに加えて、プレゼンテーション制御インターフェースは、右側からのスライドと、左側からのスライドと、発信すべき次のプレゼンテーションスライドとを中央の表示画面上の個々の副ウィンドウに同時に表示する。この中央の表示画面から、どちらか一方のスライドを選択でき、プレゼンテーションを実時間で変更するために注釈付けできる。
(項目１）
電子プレゼンテーションを行うシステムであって、
プログラム可能なコンピュータによりアクセスできる第１のメモリ内に記憶された複数のプレゼンテーションスライドと、
該プログラム可能なコンピュータに結合され、第１の映像入力信号を有する第１の表示画面と、
該プログラム可能なコンピュータに結合され、第２の映像入力信号を有する第２の表示画面と、
該プログラム可能なコンピュータに結合され、第３の映像入力信号を有する第３の表示画面と、
該プログラム可能なコンピュータによりアクセスできる第２のメモリ内に記憶されたプレゼンテーション制御アプリケーションとを有し、
該プログラム可能なコンピュータが、該プレゼンテーション制御アプリケーションを実行して、該第３の表示画面上に表示されるインターフェースを生成し、これにより、複数のスライドの各々が、該第１または第２の表示画面のどちらか一方へ表示するために発信されるように設定され、該インターフェースが、
該第１の映像入力信号に対応する第１の画像を表示する第１のウィンドウと、
該第２の映像信号に対応する第２の画像を表示する第２のウィンドウと、
次のプレゼンテーションスライドの画像を表示する第３のウィンドウと
を同時に表示するように設定されている、システム。
(項目２）
前記複数のスライドがプレゼンテーションファイル内に配置されている、項目１に記載のシステム。
(項目３）
前記プレゼンテーション制御アプリケーションが、
前記インターフェースを介して前記複数のプレゼンテーションファイルのリストを表示し、
前記インターフェースを介して受信された入力に基づいて１つのプレゼンテーションファイルを選択するように更に設定されており、
前記第１のメモリ内に記憶された複数のプレゼンテーションファイルを更に有する、項目２に記載のシステム。
(項目４）
前記プログラム可能なコンピュータと結合された複数の入力と、前記第１及び第２の表示画面と結合された複数の出力とを持ち、いずれかの入力をいずれかの出力へ選択的に結合するように設定されている映像スイッチを更に有する、項目１に記載のシステム。
(項目５）
前記映像スイッチの特定の１つの入力と結合される実演映像出力を発生させる実演コンピュータを更に有し、前記プレゼンテーション制御アプリケーションが、前記実演映像出力を前記第１または第２の表示画面のどちらかへ指向するように設定されている、項目４に記載のシステム。
(項目６）
前記プレゼンテーションファイルと関連付けられ、前記第１のメモリ内に記憶され、１つ以上のエントリを含むプレファレンスデータを更に有し、各エントリが前記プレゼンテーションファイルのスライドと関連付けられ、
前記プレゼンテーション制御アプリケーションが、特定のスライドを前記第１または第２のどちらかの表示画面へ、この特定のスライドに対応するプレファレンスデータ内のエントリに基づいて自動的に発信するように設定されている、項目２に記載のシステム。
(項目７）
前記特定のスライドを発信した後、前記プレゼンテーション制御アプリケーションが前記プレゼンテーションファイル内の次のスライドを取り出すようになっている、項目６に記載のシステム。
(項目８）
前記第３の表示画面がタッチ画面装置である、項目７に記載のシステム。
(項目９）
前記プログラム可能なコンピュータ上で実行し、前記プレゼンテーション制御アプリケーションと連結するスライド注釈アプリケーションを更に有する、項目８に記載のシステム。
(項目１０）
前記インターフェースが、前記第１及び第２のウィンドウの１つを注釈付けのために選択し、前記スライド注釈アプリケーションを起動するように設定された選択機構を更に有する、項目９に記載のシステム。
(項目１１）
前記第３の表示画面が、触覚フィードバック情報をそれぞれ前記スライド注釈アプリケーションへ供給するように設定され、前記プレゼンテーション制御アプリケーションが、それぞれの触覚フィードバック情報と、選択されたウィンドウとに基づいて前記第１及び第２の映像入力信号の１つを修正するように設定されている、項目１０に記載のシステム。
(項目１２）
前記スライド注釈アプリケーションが、前記それぞれの触覚フィードバック情報に基づいて注釈履歴ファイルを前記第１のメモリ内に記憶するように設定されている、項目１１に記載のシステム。
(項目１３）
前記プレゼンテーション制御アプリケーションが、表示のために発信された特定のスライドと関連付けられたいずれかの注釈履歴ファイルを取り出すように設定され、前記第１、第２または第３の表示画面のいずれかでの前記特定のスライドの表示が、前記注釈履歴ファイルに従って修正されるようになっている、項目１２に記載のシステム。
(項目１４）
前記第１の映像入力信号が、現在のプレゼンテーションスライドの全景描写に対応し、
前記第２の映像入力信号が、前記現在のプレゼンテーションスライドの一部分の拡大描写に対応するようになっている、項目１に記載のシステム。
(項目１５）
前記プレゼンテーション制御アプリケーションが、前記現在のプレゼンテーションスライドの一部分を選択する選択ツールを更に有する、項目１４に記載のシステム。
(項目１６）
複数の表示画面を用いて複数のスライドの電子プレゼンテーションを行う方法であって、
中央の表示画面上にプレゼンテーション制御インターフェースを生成する工程と、
前記複数のスライドの中からスライドを前記プレゼンテーション制御インターフェース内のプレビューウィンドウに表示する工程と、
前記プレゼンテーション制御インターフェースを介して、前記スライドを右側の表示画面または左側の表示画面へ指向するかを指示する入力を受信する工程と、
指示された表示画面へ表示するために前記スライドを発信する工程と、
前記プレゼンテーション制御インターフェース内の前記プレビューウィンドウに前記スライドを用いて同時に表示し、第１のウィンドウが、前記右側の表示画面上に現在表示されている何らかのスライドに対応し、第２のウィンドウが、前記左側の表示画面上に現在表示されている何らかのスライドに対応する工程と、
前記プレビューウィンドウに表示するために次のスライドを取り出す工程と
を有する、方法。
(項目１７）
各々がそれぞれの複数のスライドを有するプレゼンテーションファイルの第１リストを取り出す工程と、
前記プレゼンテーション制御インターフェースを介して前記第１リストを前記中央の画面上に表示する工程と、
前記電子プレゼンテーションに対して前記プレゼンテーションファイルの１つを、前記第１リストの表示に応答して受信した入力に基づいて選択する工程と
を更に有する、項目１６に記載の方法。
(項目１８）
前記１つのプレゼンテーションファイルと関連するプレファレンスデータを取り出す工程と、
前記受信した入力が前記スライドの自動発信を示しているかを決定する工程と、
前記プレファレンスデータ内のエントリを参照して、前記スライドを発信すべき表示画面を決定する工程と
を更に有する、項目１７に記載の方法。
(項目１９）
前記プレゼンテーションスライドの代わりに実演コンピュータからの映像出力を前記左側または右側の画面のいずれか１つへ指向する工程を更に有する、項目１７に記載の方法。
(項目２０）
前記指向する工程が、
前記実演コンピュータに結合された１つの入力と、前記左側及び右側の画面に結合されたそれぞれの出力とを含む映像スイッチを選択可能に制御する工程を含む、項目１９に記載の方法。
(項目２１）
前記スライドが前記右側の表示画面に発信されるならば、右側の映像データとして前記スライドを出力する工程と、
前記スライドが前記左側の表示画面へ指向されるならば、左側の映像データとして前記スライドを出力する工程と
を更に有する、項目１６に記載の方法。
(項目２２）
前記プレゼンテーション制御インターフェースを介して前記第１のウィンドウ及び第２のウィンドウの１つを選択する工程と、
前記中央の表示画面をほとんど満たすように、選択されたウィンドウを表示する工程とを更に有する、項目２１に記載の方法。
(項目２３）
タッチ画面装置である前記中央の表示画面と関連付けて注釈アプリケーションを生成する工程を更に有する、項目２２に記載の方法。
(項目２４）
前記選択されたウィンドウに対応する特定のスライドと関連付けられたグラフィックオーバーレイデータを示すフィードバックを前記中央の表示画面から受信するように前記注釈アプリケーションを設定する、項目２３に記載の方法。
(項目２５）
前記選択されたウィンドウが前記右側の表示画面に対応すれば、前記グラフィックオーバーレイデータに基づいて前記右側の映像データを調節する工程と、
前記選択されたウィンドウが前記左側の表示画面に対応すれば、前記グラフィックオーバーレイデータに基づいて前記左側の映像データを調節する工程と
を更に有する、項目２４に記載の方法。
(項目２６）
あらゆるグラフィックオーバーレイデータを記憶する工程を更に有する、項目２４に記載の方法。
(項目２７）
特定のスライドを表示のために呼び戻す工程と、
呼び戻されたスライドと関連付けられたあらゆる記憶されたグラフィックオーバーレイデータを取り出す工程と、
取り出されたグラフィックオーバーレイデータと一緒に、前記呼び戻されたスライドをプレビュー画面に表示する工程と、
前記呼び戻されたスライド、並びに、取り出されたグラフィックオーバーレイデータを前記左側または右側のどちらかの画面に発信する工程と
を更に有する、項目２６に記載の方法。
(項目２８）
複数の表示画面を用いて複数のスライドの電子プレゼンテーションを行う方法であって、
中央の表示画面上にプレゼンテーション制御インターフェースを生成する工程と、
複数のスライドの中からスライドを前記プレゼンテーション制御インターフェース内のプレビューウィンドウに表示する工程と、
前記プレゼンテーション制御インターフェースを介して、分割画面モードまたはズームモードのどちらで現在のスライドを表示するかを示す入力を受信する工程と、
前記プレゼンテーション制御インターフェース内の前記プレビューウィンドウに前記スライドを用いて同時に表示し、第１のウィンドウが、右側の表示画面上に表示するための前記現在のスライドの第１部分に対応し、第２のウィンドウが、左側の表示画面上に表示するための前記現在のスライドの第２部分に対応する工程と
を有する、方法。
(項目２９）
ズームモード中、前記第１部分が前記現在のスライドの全体であり、前記第２部分が前記現在のスライドの拡大部分である、項目２８に記載の方法。
(項目３０）
ズームモード中、前記第２部分が前記現在のスライドの全体であり、前記第１部分が前記現在のスライドの拡大部分である、項目２８に記載の方法。
(項目３１）
前記プレゼンテーション制御インターフェースを介して、拡大のための前記現在のスライドの選択された部分を示す入力を受信する工程を更に有する、項目２８に記載の方法。
(項目３２）
複数の表示画面を用いて複数のスライドの電子プレゼンテーションを行う命令を有するコンピュータ可読媒体であって、該命令が、
中央の表示画面上にプレゼンテーション制御インターフェースを生成する工程と、
前記複数のスライドの中からスライドを前記プレゼンテーション制御インターフェース内のプレビューウィンドウに表示する工程と、
前記プレゼンテーション制御インターフェースを介して、前記スライドを右側の表示画面または左側の表示画面へ指向するかを指示する入力を受信する工程と、
指示された表示画面へ表示するために前記スライドを発信する工程と、
前記プレゼンテーション制御インターフェース内の前記プレビューウィンドウに前記スライドを用いて同時に表示し、第１のウィンドウが、前記右側の表示画面上に現在表示されている何らかのスライドに対応し、第２のウィンドウが、前記左側の表示画面上に現在表示されている何らかのスライドに対応する工程と、
前記プレビューウィンドウに表示するために次のスライドを取り出す工程と
を１つ以上のプロセッサに、その実行中、行わせるように構成されている、コンピュータ可読媒体。
(項目３３）
電子プレゼンテーションを行うシステムであって、
プログラム可能なコンピュータによりアクセスできる第１のメモリ内に記憶された複数のプレゼンテーションスライドと、
前記プログラム可能なコンピュータに結合され、第１の映像入力信号を有する第１の表示画面と、
前記プログラム可能なコンピュータに結合され、第２の映像入力信号を有する第２の表示画面と、
前記プログラム可能なコンピュータに結合され、第３の映像入力信号を有する第３の表示画面と、
前記プログラム可能なコンピュータによりアクセスできる第２のメモリ内に記憶されたプレゼンテーション制御アプリケーションとを有し、
前記プログラム可能なコンピュータが、前記プレゼンテーション制御アプリケーションを実行して、前記第３の表示画面上に表示されるインターフェースを生成し、これにより、複数のスライドの各々が、前記第１または第２の表示画面のどちらか一方へ表示するために発信されるように設定され、
前記第１の映像入力信号が、現在のプレゼンテーションスライドの全景描写に対応し、前記第２の映像入力信号が、前記現在のプレゼンテーションスライドの一部分の拡大描写に対応するようになっている、システム。
(項目３４）
前記プレゼンテーション制御アプリケーションが、前記現在のプレゼンテーションスライドの一部分を選択する選択ツールを更に有する、項目３３に記載のシステム。
【図面の簡単な説明】
【０００９】
【図１】図１には、本発明の一実施形態による例示的なプレゼンテーションシステムを示す。
【図２】図２には、本発明の別の一実施形態による例示的なプレゼンテーションシステムを示す。
【図３】図３には、図２の実施形態によるプレゼンテーションシステムに有用な追加の接続を示す。
【図４】図４には、本発明の一実施形態による例示的なコンピュータのリヤパネルコネクタを示す。
【図５】図５には、本発明の一実施形態による例示的なプレゼンテーション方法の論理流れ図を示す。
【図６】図６には、本発明の一実施形態によるプレゼンテーションアプリケーションインターフェースの例示的な画面ショットを示す。
【図７】図７には、本発明の一実施形態によるタッチ画面モニタ用の注釈アプリケーションの例示的なツールバーを示す。
【図８】図８には、本発明の一実施形態による例示的な遠隔制御装置を示す。
【図９】図９には、１つのタッチ画面表示装置を組み込んだ例示的なプレゼンテーションシステムを示す。
【図１０】図１０には、図９の実施形態による例示的なマルチウィンドウのインターフェースを示す。
【図１１】図１１には、図９の実施形態による例示的な注釈画面インターフェースを示す。
【図１２】図１２には、本発明の一実施形態に従ってプレゼンテーションスライドを表示する例示的な分割画面モードを示す。
【図１３】図１３には、本発明の一実施形態に従ってプレゼンテーションスライドを表示する例示的なズームモードを示す。
【図１４】図１４には、プレゼンテーションスライドの一部分が拡大のために選択された後の図１３のズームモード表示を示す。
【発明を実施するための形態】
【００１０】
本発明を一例として添付図面の図に示すが、本発明は、これらの図に限定されるものではない。図中、同一の符号は、類似の要素を示す。
【００１１】
以下の記述では、本発明の充分な理解を得るため、説明目的で数多くの具体的な詳細を述べる。しかし、当業者にとって、これら具体的な詳細なしに本発明を実行できること明らかである。別の場合において、本発明を不必要に分かりにくくすることを回避するため、周知の構造体及び装置をブロック図の形態で示す。
【００１２】
以下で、本発明の様々な実施形態を公開し、論じる。特に、多数の実施形態を、特定の環境の教育的な、または訓練用のプレゼンテーションに関連して記述する。この特定の環境は、本発明の多数の態様を記述するのに役立つ。しかし、本発明は、この特定の環境だけに限定されるものではなく、むしろ、その範囲内で、複数の画面及び動的な注釈付け機能が有益である別のプレゼンテーション環境を意図する。
【００１３】
図１には、本発明の一実施形態による例示的なプレゼンテーションシステム１００を示す。この実施形態によれば、コンピュータシステム１０６は、その他の構成要素により用いられるデータの流れ及びプレゼンテーション資料を制御する。特に、コンピュータ１０６は、発表者を支援してプレゼンテーションを制御するグラフィカルインターフェース１２２をモニタ１０４上に形成する。インターフェースモニタ１０４上に表示される映像データは、コンピュータ１０６の映像出力部１１６ｂにより供給される。全体として図示していないが、コンピュータシステム１０６は、キーボード、大容量記憶装置、ネットワークインターフェース、パラレルインターフェース及びシリアルインターフェースの他に、典型的なコンピュータシステムの一部分として知られたその他の多くの周辺機器及び部品をも具えるという点で従来のシステムである。
【００１４】
コンピュータシステム１０６は、左側のプロジェクタ１１４ａ及び右側のプロジェクタ１１４ｂへ映像出力をそれぞれ供給する別個の映像出力部１１６ａ，１１６ｃをも含む。映像出力を、ＳＶＧＡ形式の映像信号及びその他の従来の映像形式とすることができる。この明細書中、左側／右側の取り決めは、発表者の観点から見ている。各映像出力部１１６ａ，１１６ｃ上で出力される映像データは、インターフェース１２２を用いる発表者により決定される。インターフェース１２２を用いて、発表者は、コンピュータシステム１０６によりアクセスできる記憶装置（図示せず）からプレゼンテーション資料を取り出し、その後、この資料を映像出力部１１６ａ，１１６ｃの双方またはいずれか一方へ指向する。その後、プロジェクタ１１４ａ，１１４ｂは、それぞれのプレゼンテーション資料をそれぞれの画面１０２ａ，１０２ｂ上へ表示する。
【００１５】
プロジェクタ１１４ａ，１１４ｂへ指向することに加えて、映像出力部１１６ａ，１１６ｃは、それぞれの経路１１８ａ，１１８ｂを介してタッチ画面モニタ１１０ａ，１１０ｂへも指向される。特に、画面１０２ａ，１０２ｂは、プレゼンテーションを受ける視聴者により都合良く視聴するために位置付けられているが、モニタ１１０ａ，１１０ｂは発表者付近に位置付けられている。各タッチ画面モニタ１１０ａ，１１０ｂは、コンピュータシステム１０６に接続されている。図１では、これらの接続線１２０ａ，１２０ｂを直列接続として描いているが、機能上等価な帰還接続経路も本発明により意図されている。これら接続経路を、その他の種類の入力／出力プロトコル及びハードウェアとすることができ、ＲＳ−２３２シリアル通信経路に限定しない。接続線１２０ａ，１２０ｂは、モニタ１１０ａ，１１０ｂで発生できる何らかの触知可能な相互作用を示すそれぞれのタッチ画面モニタ１１０ａ，１１０ｂからの帰還を構成するのに用いられる。図１は、各モニタ１１０ａ，１１０ｂに対して例示的なスタイラス１１２ａ，１１２ｂを描いているが、同一のスタイラスを用いて、あるいは、全くスタイラスを用いずとも、モニタ１１０ａ，１１０ｂとの触知可能な相互作用を発生させることができる。
【００１６】
コンピュータ１０６に接続されたキーボード、マウスまたはその他の入力装置を用いてインターフェース１２２を制御できる。しかし、室内の移動及び配置でかなりの柔軟性を発表者に与えるため、インターフェース１２２をも制御する遠隔制御装置１０８もコンピュータシステム１０６へ接続されている１２０ｃ。この遠隔制御装置１０８は、ＵＳＢ、ファイヤーワイヤー、赤外線通信規格、シリアルまたはその他の多くの種類の入力／出力規定を用いてコンピュータ１０６と接続する送信機（及びコンピュータ１０６上の受信機）を含むことができる。その上、表示装置１０４を、発表者が触覚性の開始命令を用いてプレゼンテーションを制御できるタッチ画面装置とすることもでき、このような装置は、それ自体の帰還経路１２４を必要とする。
【００１７】
図１の例示的なプレゼンテーションシステム１００では、コンピュータシステム１０６は、ａ）プレゼンテーション資料を取り出し、２つの映像出力部１１６ａ，１１６ｃの一方へ指向する（または発信する）のに用いられるプレゼンテーションインターフェース１２２と、ｂ）タッチ画面モニタ１１０ａからの触覚フィードバックを受け、それに応じて映像出力部１１６ａを調節する左側の画面１０２ａ用の注釈ツールと、ｃ）タッチ画面モニタ１１０ｂからの触覚フィードバックを受け、それに応じて映像出力部１１６ｃを調節する右側の画面１０２ｂ用の注釈ツールとを同時に実行することによりプレゼンテーションの動作を制御する。
【００１８】
今しがた記述した実施形態では、この明細書で記述するその他の実施形態と同様に、これら例示的な構成要素は、本発明の範囲を限定するものではない。例えば、タッチ画面モニタ１１０ａ，１１０ｂは、ＬＣＤ表示パネルまたはその他の種類の表示装置を含むことができ、コンピュータ１０６を、必ずしもその他の構成要素と一緒に物理的に位置付けしなければならないとは限らず、ネットワークまたはその他の長距離ケーブル技術を介してプレゼンテーションシステム１００の様々なその他の構成要素に接続できる。
【００１９】
図２には、本発明のより好適な別の一実施形態による別の１つの例示的なプレゼンテーションシステム２００を示す。システム２００は、以下に説明する本発明のプレゼンテーションシステム及び方法を達成するために多くの従来の構成要素を用いる。例えば、映像スイッチ２４０を、従来の制御可能な４×４映像スイッチとすることができ、この４×４映像スイッチは、容易な統合のため、それ自体のドライバーソフトウェア及びアプリケーションプログラミングインターフェース（ＡＰＩ）ルーチンを含む。同様に、モニタ２１２，２３８，２３４を従来のタッチ画面モニタとすることができ、これらタッチ画面モニタは、システム２００のその他の構成要素と容易に統合するため、これら自体のドライバーソフトウェア及び較正ルーチンを含む。現代のオペレーティングシステム、例えば、コンピュータ２０４上で典型的に実行するオペレーティングシステムは、コンピュータ２０４内での複数のビデオカードの動作及び相互作用を支援するのにオペレーティングシステムのいかなる修正をも必要としないように、複数の映像表示の定義付けを可能にする。
【００２０】
この実施形態では、システム１００と比べて、更なる映像表示装置が可能であり、映像スイッチ２４０が、更なる機能を達成するために用いられている。しかし、システム２００の多くの態様が図１のシステム１００の態様と類似するので、図２を記述する際、幾つかの特徴の詳細な説明を繰り返さない。
【００２１】
システム２００は、左側プロジェクタ２３２及び右側プロジェクタ２３６を用いて視聴者に対してマルチ画面プレゼンテーションを行うために発表者により用いられるコンピュータ２０４を含む。発表者は、利用できる３つのモニタ、すなわち、左側プロジェクタ２３２から与えられた資料を表示する左側画面モニタ２３４と、右側プロジェクタ２３６から与えられた資料を表示する右側画面モニタ２３８と、コンピュータ２０４上で実行しているプレゼンテーションソフトウェアアプリケーションへグラフィカルユーザーインターフェースを供給する中央モニタ２１２とを有する。
【００２２】
例示的なシステム２００内には、実演コンピュータ２１６、実演モニタ２０２及びビデオスプリッタ２１４も存在する。ビデオスプリッタ２１４は、実演コンピュータ２１６からの映像出力２１８を実演モニタ２０２及び映像スイッチ２４０の双方へ供給する。実演コンピュータ２１６は典型的に発表者の制御下にあり、実演コンピュータ２１６を用いて、視聴者が視聴するプレゼンテーション資料を更に増やすか、あるいは説明する模擬実験及びその他の実演を行うことができる。その結果として、視聴者が模擬実験及び実演の利益を得るように、発表者はグラフィカルユーザーインターフェースによっても、実演コンピュータ２１６の映像出力をプロジェクタ２３２，２３６の一方へ指向できる。
【００２３】
映像スイッチ２４０は当業者に既知のような従来の映像スイッチであり、映像スイッチ２４０を制御して、入力部の１つで受信したデータ信号を１つ以上のデータ出力部へ指向できる。図示のように、映像スイッチ２４０は、少なくとも３つの映像信号、すなわち、ａ）（コンピュータ２０４からの）２０８、ｂ）（コンピュータ２０４からの）２１０及びｃ）（ビデオスプリッタ２１４を介して実演コンピュータ２１６からの）２２０を受信する。映像スイッチ２４０の設定に応じて、これら様々な入力信号を次に、１つ以上の出力部、すなわち、ａ）２２４（左側プロジェクタ２３２）、ｂ）２２６（左側モニタ２３４）、ｃ）２２８（右側プロジェクタ２３６）、及び、ｄ）２３０（右側モニタ２３８）へ指向する。
【００２４】
前に説明したシステム１００に類似して、図２のシステム２００は、コンピュータ２０４上で実行し、中央モニタ２１２上に表示するグラフィカルユーザーインターフェースを発表者が使用できるプレゼンテーションシステムを構成する。このユーザーインターフェースにより、発表者はプレゼンテーション資料を取り出し、それらを中央モニタ２１２上にプレビューし、その後、左側プロジェクタ２３２または右側プロジェクタ２３６のいずれか一方、あるいはこれらの双方へ資料を発信できる。視聴者へ発表するものを制御するため、発表者はインターフェースを用いて、２つの映像出力２０８，２１０の１つから資料を送信し、映像スイッチ２４０を設定して、異なった映像入力を適切な映像出力へ指向する。
【００２５】
図３に示すように、連続経路３１０は、コンピュータ２０４が映像スイッチ２４０を選択可能に設定する１つの例示的な方法である。特に、通信リンク３１０を用いて、発表者はプレゼンテーションシステムソフトウェアと対話してコンピュータ２０４からの命令を映像スイッチ２４０へ送信する。この命令に基づいて、映像スイッチ２４０は、映像入力と映像出力との間の結合を制御する。
【００２６】
好適な実施形態では、右側モニタ２３８、左側モニタ２３４及び中央モニタ２１２はすべてタッチ画面モニタである。更に、コンピュータ２０４は注釈ツール（例えば、ソフトウェアアプリケーション）の３つのインスタンスを実行し、注釈ツールの各インスタンスは、それぞれのモニタ２１２，２３４，２３８に表示された映像データの修正または増強を可能にする。この増強された映像データは、現在、表示されているいずれかのプレゼンテーションスライド上に上書きされる。図３に示すように、これらモニタはコンピュータ２０４のそれぞれの入力端に接続されている。それぞれのタッチ画面モニタとの触知可能な相互作用に依存する応答をコンピュータ２０４へ供給するシリアル通信経路として図３の例示的な帰還経路３０４〜３０８を示す。帰還データは、適切なモニタ上に表示される映像データを適切に調節するため、注釈ツールの適切なインスタンスに送信される。
【００２７】
動作中、発表者は１つのモニタ、例えば、右側モニタ２３８に接触し、このことにより、オペレーティングシステムの「焦点」を、右側モニタ２３８と関連する注釈ツールのインスタンスへもっていく。（ドライバーソフトウェアと一緒に）注釈ツール及びタッチ画面モニタ２３８を用いて、発表者は、右側プレゼンテーション画面上に表示するためにコンピュータ２０４により出力された映像データ上に上書きできる文章、囲み、手書き図及びその他の注釈のようなものを描くことができる。従って、視聴者は、この特定視聴者の個人のニーズに応じてリアルタイムで容易に増強できる静的なプレゼンテーション資料の利益を得る。
【００２８】
図４は、コンピュータ２０４の例示的な概観を示す。図示のように、このコンピュータは、複数の入力／出力ポート４０２〜４０８と同様に、複数の映像出力ポート４１０〜４１４をも含むことができる。本発明は、図４の特定のコンピュータ構成及びポートタイプに限定されるのではなく、むしろ、代わりの機能上等価な構成をも意図する。
【００２９】
図５は、本発明の一実施形態による例示的なプレゼンテーション方法の高水準の論理流れ図である。この流れ図によれば、発表者は、図２に示すようなシステムを用いて、視聴者へ効果的且つ動的なマルチ画面プレゼンテーションを行うことができる。この方法を、１つ以上のコンピュータ上で実行できる１つ以上のソフトウェアアプリケーションとして実装でき、ソフトウェアアプリケーションが実行されると、ここで記述するようなプレゼンテーション方法を実行する。
【００３０】
工程５０２では、利用できるプレゼンテーションのリストを発表者へ供給して発表者に選択させる。プレゼンテーションファイルを選択した後、工程５０４において、選択されたプレゼンテーションを有するスライドのリストを得ることによりこの方法が継続する。プレゼンテーションファイルを選択した後、プレゼンテーションシステムは、発表者の制御の下で画像を表示するその後の工程に移ることができる。しかし、プリローダは、画像及び添付データファイルをプリロードして、それらをプレゼンテーションの開始前にキャッシュ内に格納するのに１つの有用なツールである。動作中、発表者自らの判断でプリローダツールを用いても、用いなくてもよい。しかし、キャッシュ内に格納されなかった画像でプレゼンテーションを行うのに比べて、キャッシュ内に格納された画像の使用は、異なった画面の高速表示を可能にする。
【００３１】
工程５０６において、スライドのうちで最初のスライドを自動的にプレビューウィンドウ内に表示して、次のスライドが何であるかを発表者が理解できるように、そして、いかにしてそれを最良に表示できるかを発表者が決定できるようにする。表示する前に、発表者は、この時点でスライドに注釈を付けるべきかを工程５０８で決定できる。
【００３２】
次に、工程５１０において、この方法は、発表者がプレビュースライドの表示のために選択する多くの可能な選択肢のうちのどれかを決定する。例えば、発表者は、工程５１４でプレビュースライドを左側画面へ送信することを、あるいは、工程５１６でプレビュースライドを右側画面へ送信することを選択できる。あるいはまた、この方法は、プレビュースライドを自動的に転送する画面を工程５１８で決定するため、プレファレンスファイルを参照する自動的発信機能を含むことができる。その他の表示選択肢を工程５１９で選択でき、これら選択肢は、左側画面または右側画面を空白にすること、プレゼンテーション中、１つのスライドを逆に戻すこと、現在のプレビュースライドを表示せずに抜かすこと、あるスライドへ順序に反してジャンプすること、別の１つのプレゼンテーションファイルからスライドへジャンプすること、あるいは、空白のテンプレートを表示画面の１つへ送信することなどの事柄を含むことができる。発表者は、実演コンピュータの出力を左側画面で表示する（工程５２２）か、あるいは、右側画面で表示する（工程５２４）かを工程５１２で選択することもできる。発表者は、（工程５２６で）左側画面に表示されるか、あるいは、（工程５２８で）右側画面に表示されるスライドに注釈を付けることを工程５２０で選択することもできる。スライドに注釈を付けることにより、発表者は、目の前の視聴者に適するようにカスタマイズ化してプレゼンテーションを対話形式で増強できる。後のスライドプレゼンテーショで注釈を有用とすることができるように、そして、２つ以上の表示されたスライドに対する注釈を保存するため、この方法の工程５３０は、将来使えるいかなる注釈をも保存する。プレゼンテーションスライドの表示または注釈付けに対する発表者の選択に基づいて、工程５３２は、取り出してプレビューウィンドウに表示する次のスライドを得る。工程５３４は、この方法が次に、工程５１０から、プレゼンテーションファイルの最後のスライドを表示するまで繰り返すことを表す。スライドプレゼンテーションを制御する特定のインターフェース及びソフトウェアアプリケーションに関して、この方法の詳細を以下に提示する。
【００３３】
図６には、発表者が、視聴者に行うプレゼンテーションを制御できるコンピュータ２０４上で実行するプレゼンテーションソフトウェアアプリケーションの例示的な画面ショット６００を示す。ドロップダウンメニュー、選択ボックス、アイコン、表示ウィンドウ、ツールバーのようなグラフィカルユーザーインターフェースの構成要素及びそれらの操作は当該技術分野で周知であり、これらを詳細に説明しない。
【００３４】
プレゼンテーションの基礎は、例えば、プレゼンテーションファイルと称すことができるものの中に一緒に配置された多数のパワーポイントスライドから構成できる。本発明の範囲内にその他のスライドフォーマットも意図する。パワーポイントファイルまたはスライドショー及びそれらの個々のフレームをコンピュータ２０４のハードディスクドライブに記憶できる。例えば、「Ｄ：＼ｃｏｕｒｓｅｓ」のような初期設定ディレクトリ内でプレゼンテーションファイルを検索するようにプレゼンテーションソフトウェアを設定できる。このディレクトリ内には、プレゼンテーションソフトウェアが自動的に走査し、選択のため、発表者へ表示する多くの異なったプレゼンテーションファイルがある。
【００３５】
一実施形態では、プレゼンテーションシステムは、ユーザーに規定されたプレファレンスデータをプレゼンテーションファイルのいずれか１つと関連付けさせることもできる。このプレファレンスデータは、予め決定された拡張子（例えば、「．ｉｐｆ」）を用いるプレファレンスファイルの形態をとることができるので、プレゼンテーションソフトウェアは、プレファレンスファイルを、類似して名付けたプレゼンテーションファイルと容易に関連付けることができる。好適な実施形態では、プレファレンスファイルは、３つのフィールド、すなわち、
＜スライド番号＞，＜方向タグ＞，＜記憶呼び起こし文章＞
を有する多くのエントリを含むことができる。
【００３６】
従って、プレファレンスファイルは、
１４，Ｒ，すべての３つの態様について述べる
２，Ｌ，
．．．
１６，Ｒ，３つのプログラマについて冗談を言う
というようなものである。
【００３７】
上記に示したように、スライド番号を番号順とする必要はないが、ある状況下、後に続くこのような規定が役立つかもしれない。更に、各スライドがエントリを有し、各エントリがフィールドごとにデータを有する必要がない。
【００３８】
あるいはまた、プレファレンス情報をプレゼンテーションファイル自体のスライド内に含めることができる。パワーポイントスライドの「ノート」区分、または、その他のプレゼンテーションファイル形式に対する類似の機能を用いれば、プレファレンス情報を別々のプレファレンスファイル内に記憶する必要がなく、プレゼンテーションファイル内に含めることができる。
【００３９】
プレゼンテーションソフトウェアインターフェースは、プレゼンテーションを選択することで発表者を支援するドロップダウンボックス６１６を具える。図６では、例えば、発表者は、「５０３‐ＣＨ００ＵＳ」という名前のファイルを選択した。一実施形態では、「５０３‐ＣＨ００ＵＳ」という名前のファイルを、意味のあるものにでき、プレゼンテーションがレッスン５０３のチャプター００に関することを示す。ハードドライブ上では、このファイルをパワーポイントファイル「５０３‐Ｃｈ００ＵＳ．ｐｐｔ」として記憶できる。好適な実施形態では、選択したプレゼンテーションの最初のスライドは、プレビューウィンドウ６０２内に自動的に表示される。
【００４０】
ウィンドウ６１２は、選択されたプレゼンテーションファイル内に１３個のスライド及びそれぞれの題名を示す。１つのスライドの題名６１４を、選択されたように（反転映像により表されたように）示し、このスライド６０４はプレビューウィンドウ６０２内に表示されている。このウィンドウ６０２から発表者は、スライド６０４をコンピュータ２０４の映像出力の１つへ指向（または発信）できる。
【００４１】
画面６００が表示されるモニタをタッチ画面モニタ２１２とすることができるが、発表者は、触覚入力に加えてキーボードまたはマウスを用いてもプレゼンテーションソフトウェアのインターフェースと対話できる。
【００４２】
画面６００内には、プレビューのスライド６０４の送り先を決定する３つのアイコンがある。「送り先」とは、スライドを送信して左側画面または右側画面のどちらかに表示されるコンピュータ２０４の映像出力を意味する。一実施形態によれば、映像スイッチのセットアップ及びケーブル接続は、図２に示すような予め決定されたやり方で設定される。プレゼンテーションソフトウェアは、この予め決定された設定を理解しており、プレゼンテーションソフトウェア自体、発表者により選択されたアイコンに基づいてスライドを適切な映像出力へ供給するように設定されている。プレゼンテーションソフトウェアが映像出力を適宜に指向するように設定されている限りは、特定のケーブル接続を、図２に示す場合と異ならせることができる。
【００４３】
アイコン６２０はプレゼンテーションソフトウェアにプレビューのスライド６０４を左側画面へ送信させ、その一方で、アイコン６４４はプレゼンテーションソフトウェアにプレビューのスライド６０４を右側画面へ送信させる。プレビューのスライド６０４が、関連のプレファレンスファイル内に指定された方向の好みを有すれば、アイコン６３２は、使える状態になって、このアイコン６３２を選択することにより、発表者は、プレファレンスファイル内で検出された方向の好みに基づいてスライドを、好ましい画面へ送信できる。表示のため、プレビューのスライド６０４を適切な画面へ送信した後、プレゼンテーションソフトウェアは、一連のスライドのうち次のスライドをウィンドウ６０２内に自動的に表示する。自動のアイコン６３２の代わりにアイコン６２０または６４４のどちらかを用いることによりプレファレンスタグをオーバーライドできる。ウィンドウ６１８は、プレゼンテーションに関して発表者を支援するため、プレファレンスファイルからの何らかの記憶呼び起こし文章を表示するのに用いられる。
【００４４】
本発明の一実施形態によれば、プレファレンスファイル内のスライドのエントリは、「ＬＲ」のような方向のエントリを有することができる。このダブルエントリは、双方のスライドがほぼ同時に表示されたように見えるように、１つのスライドを左側画面上に自動的に表示し、次に、次のスライドを右側画面上に表示するという効果を有する。その結果、結果として生じた新たなプレビュースライドは、最初のプレビュースライドから移動された２つである。
【００４５】
順序を狂わせて表示ウィンドウ６１２からスライドを選択し、次に、プレビューのウィンドウ６０２内に表示できる。
【００４６】
インターフェースの画面６００は、「逆戻り」アイコン６３０及び「前進」アイコン６３４をも具える。アイコン６３０により、発表者はプレビューのウィンドウ６０２において逆方向へ進行でき、アイコン６３４により、現在プレビューのスライド６０４を抜かし、プレゼンテーション中の次のスライドをプレビューのウィンドウ６０２内に表示できる。
【００４７】
アイコン６２６，６３８は、表示画面を上方へスライドするようにスライドを見せることができる左側画面及び右側画面の「スライドジョグ」機能を具える。この動作は、ビューホイルの下半分を強調するように、プロジェクタ上のビューホイルを上方へスライドする発表者の従来の行動を擬態する。これらアイコンはトグルのように動作するので、アイコンの連続的な選択は、スライドの通常のプレゼンテーションと、スライドの「ゆっくり動かされる」プレゼンテーションとの間で反転する。
【００４８】
一方の画面または他方の画面に生徒を集中させるため、そして、プレゼンテーションの範囲内の更なる理由のため、プレゼンテーションソフトウェアインターフェースは、左側の表示を空白にするアイコン６２４と、右側の表示を空白にするアイコン６４０とを具える。これらアイコンのいずれかを選択することは、この場合も、「空白にされていない」適切な表示をもたらす。
【００４９】
図２の環境に示すように、実演コンピュータ２１６からの映像出力は映像スイッチ２４０へ供給される。プレゼンテーションソフトウェアは、通信リンク３１０を介して映像スイッチ２４０の適切な制御によりこの映像出力の表示を表示プロジェクタ２３２，２３６の一方へ生じさせることができる。発表者が実演コンピュータ２１６からの出力を左側プロジェクタへ指向したいと思えば、アイコン６２８を選択する。この選択により、プレゼンテーションソフトウェアが映像スイッチ２４０を制御して、映像信号２１８を左側画面上に表示できる。右側プロジェクタ２３６の場合、類似の機能は、アイコン６３６を用いて達成される。アイコン６２８，６３６のどちらかの次の選択は、実演コンピュータ２１６から出力される代わりに、それぞれの画面へ表示されたスライドを返還する。映像スイッチ２４０の未使用の４番目の入力を利用するもう１つの実演コンピュータを含めることができる。このような別の手段では、映像スイッチ２４０の手動制御は、適切な映像信号の経路指定を選択するのに有用であることを証明できる。
【００５０】
ボタン６５０，６５２をそれぞれ用いて、左側または右側の表示画面上に表示された現在のスライドを、ウィンドウ６１０内に表示された「お気に入り」リストへ追加できる。「お気に入り．ｆｖｔ」のような何か意味のあるものとしてこのリストに名前を付け、このリストを初期設定ディレクトリ「Ｄ：＼ｃｏｕｒｓｅｓ」内に位置付けることができる。その他のファイル名及び位置付けをも使用できる。
【００５１】
好適な実施形態では、ファイルの形式は、
＜プレゼンテーションファイル＞，＜スライド番号＞：＜説明文＞
である。従って、１つのエントリは、
４０９‐Ｃｈ０５，１４：フリースレッディング
のようなものである。これは、（例えば、パワーポイントスライドが用いられていれば、）プレゼンテーションファイル４０９‐Ｃｈ０５．ｐｐｔの１４番目のスライドを意味する。説明文を、いかなる文章とすることができるが、スライドの題名は１つの有用な例である。
【００５２】
ボタン６５０または６５２のどちらかの選択により、新たなエントリがお気に入りのファイルに加えられるか、あるいは、別の方法で挿入される。好適な実施形態では、このファイルは、異なるプレゼンテーションファイルのうちで役立ち、特定のプレゼンテーションファイルに限定しない。発表者は、スライドをウィンドウ６１２から選択するやり方と同じようにスライドをウィンドウ６１０から選択する。１つの違いは、プレゼンテーションソフトウェアが、参照されるプレゼンテーションファイルを開き、適切なスライドを取り出し、これをプレビューのウィンドウ６０２内に表示しなければならないということである。このスライドを次に、アイコン６２０，６４４をそれぞれ用いて左側または右側画面へ発信できる。スライドを発信した後、次のスライドを選択してプレビューのウィンドウ６０２内に位置付けするため、プレゼンテーションは元のプレゼンテーションファイル内のスライド位置に戻る。
【００５３】
プレゼンテーションソフトウェアは、スライド注釈アプリケーション（すなわち、注釈ツール）の３つの異なるインスタンスと協働する。スライド注釈ツールを、ベクトルに基づく描画ツールであって、プレゼンテーションスライド上に上書きできる画像を作成する描画ツールとすることができる。注釈ツールのこれらインスタンスの各々は、モニタ２１２，２３４，２３８の異なった１つに対応する。注釈ツールのインスタンスの実行は、異なったモニタ２１２，２３４，２３８の各々に注釈ツールバーを表示させることになる。中央モニタ２１２用の注釈ツールと関連する注釈ツールバー６０８は、プレビューのウィンドウ６０２の下部に表示される。スライドを左側表示画面または右側表示画面のどちらかへ発信する前に、このツールバーを用いて、発表者はスライド６０４に注釈を付けることができる。左側及び右側モニタ２３４及び２３８の各々は、それら自体に関連付けられた注釈ツール及び類似のツールバーを有する。
【００５４】
クロックアイコン６０６は、発表者が時間枠を選択でき、この時間枠内の残りの時間を示すカウントダウン画面を表示できるタイマーウィンドウを開く。この時間枠は、課題を完了するまでの残りの時間を、あるいは、プレゼンテーション中の中断の終わりまでの残りの時間を反映できる。
【００５５】
図７には、図６に示した場合のような例示的な注釈トルツールバーを示す。適切なアイコンをたたく、または選択することにより、ツールバーの異なった機能を選択する。左から右へアイコンは、以下を含む。すなわち、
７０２：ツールバーの表示を拡大または縮小する表示／非表示ボタンである。
７０４：文章が現れるべきプレゼンテーションスライド上でたたき、次に、（コンピュータ２０４の）キーボードを用いて文章を入力することにより用いられるテキスト機能である。
７０６：好ましくはスタイラスまたはその他の類似の器具を用いて、スライド上に描画できる手書き描画ツールである。
７０８：開始コーナーを選択し、終了コーナーまでドラッグして長方形を規定できる長方形描画機能である。
７１０：長方形機能に類似するが、規定された「境界」ボックス内に楕円が描かれる楕円描画機能である。
【００５６】
好適な実施形態では、長方形及び楕円ツールの双方は自動的にテキスト入力機能を起動するので、生成された形状は、いかなる追加のアイコンをも選択することを必要とせずに入力された文章を有することができる。
７１２：線の始点及び終点を選択することにより用いられる直線描画機能である。
７１４：こま割り漫画の吹き出しに似ているテキスト入力ボックスを作成する「吹き出し」機能である。
７１６：透明な黄色で強調された長方形を画面上に作成する蛍光マーカーツールである。７１８：指示器をプレゼンテーションスライド上の所望の位置に表示できるポインタツールである。好適な実施形態では、指示器は、明るい赤色の矢印である。この矢印は、発表者によりたたかれたプレゼンテーションスライド上のいずれかの位置まで移動する。
７２０：プレゼンテーションスライドの一部分を被覆して表示を阻止する漸進的口外機能である。画面上の最初の選択は開始の垂直位置を設定し、連続する選択の各々は、プレゼンテーションスライドを徐々に表示するために被覆を再配置する。
７２２：プレゼンテーションスライド上のいかなる注釈をも消去する消しゴムツールである。
７２４：各注釈を逆の順番で除去する取り消し機能である。
７２６：異なる色の中から将来の注釈動作用の色を選択する色選択ツールである。
【００５７】
注釈付けを何らかの特定の順序で左側、右側及び中央モニタ上で行うことができる。従って、好適な実施形態では、発表者がプレゼンテーションスライドから離れてナビゲートするたびに注釈は保存される。例えば、スライド１４を左側モニタ２３４上に表示し、注釈を付けることができ、その一方で、スライド１３を右側モニタ２３８上に表示できる。発表者が右側モニタ２３８に接触すれば、コンピュータ２０４のオペレーティングシステムは、たった今、焦点が右側モニタ２３８へ移動したことを検知し、これ以上の入力は、このモニタ２３８と関連する注釈ツールにより解釈される。プレゼンテーションソフトウェアは、続行する前に、スライド１４に対するいかなる現在の注釈をも保存する。発表者が次に、スライド１４へナビゲートし直せば、スライド１３に対する現在の注釈は保存され、更なる入力は、左側モニタ２３４と関連する注釈ツールにより解釈される。
【００５８】
好適な実施形態では、各注釈ツールにより作成されたベクトル画像ファイルは、「Ｃ：＼ｃｏｕｒｓｅｓ」ディレクトリ内に保存される。例えば、プレゼンテーションファイル４０９‐Ｃｈ０５．ｐｐｔ内のスライドに注釈付けを行う際、ディレクトリ４０９‐Ｃｈ０５．ａｎｎを作成でき、ファイル「ｘｘｘ」に配置できる。ここで、「ｘｘｘ」とは、このプレゼンテーションファイル内のスライドを意味する。
【００５９】
プレゼンテーションソフトウェアがプレビューのウィンドウ６０２内にスライドを表示すれば、あらゆる注釈ファイルの存在を自動的に検索でき、それに応じてスライドを自動的に増強できる。その結果として、注釈ファイルを保存でき、もう１つのコンピュータへ移動してこのコンピュータからのプレゼンテーションを増強できる一方で、別のコンピュータ上に存在するプレゼンテーションスライドを依然として用いている。また、注釈付きのスライドの再表示は、スライドに注釈が最初に付けられていた表示画面に左右されない。例えば、スライドが右側表示画面上にある間、表示され、注釈が付けられたスライドを、左側表示画面へ表示及び発信するために後で呼び戻すことができ、いかなる前の注釈も、変更の必要なしに左側表示画面上に表示される。
【００６０】
図６のインターフェースの画面６００に一時的に戻る。画面６００には、２つの相補的なアイコン６２２，６４２がある。これらアイコンはそれぞれ、空白のスライドを左側及び右側表示画面上で始動する。次に、この空白のスライドに、所望に応じて注釈を付けることができる。好適な実施形態では、空白のスライドの名前を要求し、しかも、奨励された初期設定名も与えることができるダイアログボックスが現れる。新たに名付けられたスライドがお気に入りとして保存されなければ、現在のプレゼンテーションを終了する際、スライドは消去される。スライドが保存されれば、それを後で呼び戻しに利用できる。同様に、個々のスライドを作成し、「Ｃ：＼ｃｏｕｒｓｅｓ」ディレクトリ内にコピーし、手動でお気に入りファイルに加えることができる。このように、プレゼンテーションファイルを増強する更なる付帯的なスライドを、予め準備されたプレゼンテーション中、選択及び表示のために容易に利用できるようにする。
【００６１】
プレゼンテーションシステムは、１つの文書ファイル形式だけから見れる内容を提示することに限定されない。プレゼンテーションシステムは、例えば、パワーポイントプレゼンテーション及びアドーブアクロバットＰＤＦファイルのような２つ以上の異なった文書ファイル形式で動作できる。好適な実施形態では、情報の画面をランドスケープレイアウトで配信するのにパワーポイントプレゼンテーションが用いられ、その一方で、アクロバットファイルは、ポートレイトレイアウトで割り付けられた文書からの情報を表示する。
【００６２】
この実施形態によれば、表示されている文書の各画面と関連付けられたあらゆる注釈ファイルの取り込みを含めて、パワーポイント及びアクロバットプレゼンテーションの双方を、全く同じようにプレゼンテーションシステムにより処理できる。ランドスケープ文書とポートレイト文書とのアスペクト比の差のため、ポートレイトモードのページ（例えば、アクロバットページ）の３分の２だけが各画面及びプロジェクタ上に表示される場合がある。インターフェース６００の「少しずつ上に動かす」ボタン６２６，６３８は、アクロバットページの下の３分の２を見えるようにするのに用いる。
【００６３】
双方の形式を保存でき、次に、いずれかの表示画面２１２，２３４，２３８上に表示するために呼び戻すことができるので、パワーポイントまたはアクロバットページのどちらかに対して、「お気に入り」機構の機能及び利点は、同じままである。
【００６４】
図１の例示的な遠隔制御装置１０８を、要素８００として図８に詳細に示す。例えば、遠隔制御装置８００は、システム２００の別の１つの構成要素により用いられていない入力／出力ポートを用いてコンピュータ２０４に接続できる。遠隔制御装置は、図６で示した全部のツールセットを有する必要がなく、むしろ、スライドを自動的に進めるボタン８０２と、現在のプレビュースライドを抜かすボタン８０４と、プレビュースライドを右側画面に送信するボタン８０６と、右側画面を空白にする／空白にしないボタン８０８と、左側画面を空白にする／空白にしないボタン８１０と、プレビュースライドを左側画面に送信するボタン８１２とを含むことができる。
【００６５】
図９には、図１のシステム１００または図２のシステム２００に比較して代わりのプレゼンテーションシステム構造９００を示す。しかし、先行の図について前に詳細に説明した各システムでは、多くの共通の構成要素がある。従って、様々な構造間での相違をあいまいにしないように、各構造により共有される共通のこれら機能の詳細な説明は、図９を参照して繰り返さない。その代わり、様々な構造間での違いを強調し、これら違いの説明を詳細に行う。
【００６６】
図９では、コンピュータ９０２は、その他の構成要素により用いられるデータの流れ及びプレゼンテーション資料を制御する。このコンピュータ９０２は、トラックボール、（標準または小型の）キーボード及びマウスのような入力装置と接続する通信ポート９０４を含む。コンピュータ９０２は、映像ポート９０８を介してタッチ画面９１８上にグラフィカルユーザーインターフェースを生成して、プレゼンテーションを制御するのに発表者または講師を支援する。通信ポート９０６は、スタイラスにより供給されるようにタッチ画面９１８から帰還を受ける。
【００６７】
いずれかの従来のタッチ画面端末を用いることができるが、例示的なタッチ画面９１８は、１８インチのワコムシンティックコンピュータ支援の設計端末である。この特定の端末は、ユーザーが書いている間、表示画面上で手を休めることができるあつらえのスタイラスを含む。この機能は、注釈付けの精度を改善する。
【００６８】
映像ポート９１０，９１２は、右側及び左側プロジェクタ９２４，９２６上に表示するために映像出力を発生する。前に記述したように、プレゼンテーションシステムは、タッチ画面９１８上に生成されたグラフィカルユーザーインターフェースを用いて、発表者の制御下、表示画面を特定のプロジェクタに指向することにより情報の電子表示を交互に行うか、あるいは、別の方法で制御する。
【００６９】
その他の映像ソース９２０を時々、プロジェクタ９２４または９２６のどちらかに表示できるように、ポート９１０，９１２からの映像出力は、コンピュータ９０２のポート９１４からの信号により制御される映像スイッチ９２２を介して送信される。従って、グラフィカルユーザーインターフェースを用いてポート９１４から制御信号を発生させれば、発表者は、ソース９２０からの代わりの映像信号の選択及び選択解除を制御するのと同様に、映像ポート９１０，９１２からのスライドの指向をも制御できる。
【００７０】
映像スイッチ９２２を１つのｎ×２映像スイッチ（すなわち、ｎ個の入力及び２個の出力を有する映像スイッチ）として描いているが、２×１スイッチ対のようなその他の形態をも用いることができる。あるいはまた、プロジェクタ９２４，９２６が複数の入力ポートを有していれば、スイッチ９２２を除外できる。この代わりの手段では、ポート９１４からの制御信号は、選択された入力を表示するために適切なプロジェクタを直接に制御する。
【００７１】
図９のシステム９００と、前に説明したシステムとの間での１つの重大な違いは、中央表示装置１０４並びに、左側及び右側表示装置１１０ａ，１１０ｂの代わりに１つのタッチ画面９１８が用いられるということである。この単純化に合わせるため、コンピュータ９０２で実行しているプレゼンテーション制御ソフトウェアは、マルチウィンドウ表示のタブインターフェースを１つのタッチ画面９１８上で用いる。
【００７２】
図１０は、図９の代わりの手段の１つの画面用の例示的なグラフィカルユーザーインターフェース１０００を示す。インターフェース１０００は、３つの副ウィンドウ１００６，１００８，１０１０を含む主表示領域１０２４を含む。中央のウィンドウ１００６は、左側または右側のどちらかのプロジェクタに指向される現在の講師の画面を表示する。左側のウィンドウ１００８は、現在表示されている左側のプロジェクタ画面を表示し、右側のウィンドウ１０１０は、現在表示されている右側のプロジェクタ画面を表示する。
【００７３】
インターフェース１０００は、上部を横切るアイコンツールバー１００４と、各側面に沿っている左側ツールバー１０２０及び右側ツールバー１０２２とを含む。これらツールバーは、前述したような機能を達成し、これらにより、発表者が、例えば、一方の画面または他方の画面にページを指向でき、ページを抜かすことができ、白紙のページを送信でき、ページをスクロールでき、ページ間でジャンプでき、代わりの映像ソース（例えば、実演コンピュータ）を選択でき、「お気に入り」を保存または選択できる。現在の講師の画面１００６に関する簡単な覚書を表示する記憶呼び起こしバー１００２がインターフェース１０００の上部に沿って存在する。
【００７４】
表示領域１０２４内のそれぞれの副ウィンドウに対応する３つのタブバー１０１２〜１０１６がインターフェース１０００の底部に沿って存在する。左側画面タブ１０１２を用いて、ユーザーは、注釈を付けるのに左側のプロジェクタ画面を選択でき、右側画面タブ１０１０を用いて、ユーザーは、注釈を付けるのに右側のプロジェクタ画面を選択できる。中央タブ１０１４を用いて、ユーザーは、図１０に示す混成のマルチウィンドウ表示の画面１０２４に戻すことができる。
【００７５】
グラフィカルユーザーインターフェース１０００は、通信ポート９０６を介してコンピュータ９０２へ帰還を行うタッチ画面表示装置９１８上に表示される。注釈及びツールバーの選択を混成の画面１０２４から実行できる。しかし、現在の表示画面１００８，１０１０の一方を選択することは、あらゆる注釈付けに関して、より細かい制御を可能にする。適切なタブ（１０１２または１０１６）を用いて、あるいは、入力装置９１６の１つを用いてウィンドウの１つ（１００８または１０１０）を単に選択することにより、表示画面の１つを選択できる。
【００７６】
図１１には、注釈を付けるのに（例えば）左側の画面１００８を選択した後のグラフィカルユーザーインターフェース１０００の例示的なスナップショット１１００を示す。図１１に示すように、画面タブ１０１２〜１０１６は、スナップショット１１００の底部にとどまっており、左画面側ツールバー１０２０は、スナップショット１１００の左側にとどまっている。しかし、混成の画面１０２４の代わりに、現在の左側プロジェクタ画面が、表示領域をほとんど満たすように表示されている１００８。現在の左側プロジェクタ画面についての記憶呼び起こし文章１１０２がスナップショット１１００の上部に沿って存在し、スナップショット１１００の底部付近に注釈ツールバー１１０４がある。図７を参照して注釈ツールバーの詳細を前に説明した。この注釈ツールバーのアイコンは、現在表示されている画面の注釈付けを簡単にするツール及び機能を発生する。システム９００を用いて行われるプレゼンテーションの動的な性質を高めるため、これら注釈は、プレゼンテーション中、実時間で現れる。
【００７７】
スナップショット１１００及びインターフェース１０００の割り付けは、事実上、例示的なものである。本発明の更なる実施形態の範囲内に、その他の機能上等価なツールバー、画面割り付け、アイコンのラベル及び機能が考えられることもちろんである。
左側及び右側の画面に表示される複数のスライドを含んでいれば、ズーム機能は、１つのスライドを様々な方法で右側及び左側の双方の画面上に表示することを可能にする。
【００７８】
図１２には、画面底部のタブ１２１０により指示された講師の画面の画面表示を示す。前述したように、この画面は、次のスライド１２０４と、右側の画面に表示されているもののコピー１２０６と、左側の画面に表示されているもののコピー１２０８とを表示する。
【００７９】
分割画面モードとして知られた図１２に示す特定の状態では、現在のスライドが左側及び右側の双方の画面に表示されている。例えば、ウィンドウ１２０６は現在のスライドの上部を示すが、ウィンドウ１２０８は現在のスライドの下部を示す。双方のウィンドウに現れる多少の重複部分１２１２があり、この情報が双方のウィンドウ内にあることを観察者が認識するのを助けるためにこの部分１２１２に陰影を付けるか、あるいは、この部分１２１２を別の方法で視覚的に区別できる。
【００８０】
発表者は、現在のスライドをどのように表示するかについて更に制御できる「ズーム」ツール１２０２を利用できる。図１３には、ズームツール１２０２を選択した後、表示ウィンドウがどのように変化したかを示す。ウィンドウ１２０４は、同じ状態のままであるが、表示ウィンドウ１３０４，１３０２はそれらの動作を変更する。
【００８１】
右側のウィンドウ１３０２では、右側の表示画面上に表示されているとおりに現在のスライドの全体が示されている。好適な実施形態では、左側の表示画面は空白である。しかし、左側のウィンドウ１３０４は、例えば、「ズームイン」可能となるようにスライドの一部分を選択すべきであることを提案する、発表者に対して役に立つ指示を含むことができる。実際には、この場合、発表者は、ウィンドウに表示されたスライドの一部分を選択するために選択ツール１３０６を用いる。
【００８２】
図９〜１２の代わりのプレゼンテーションシステムで利用できるツール及び機能と、図１〜８を参照して記述及び説明したツール及び機能との間には、多くの類似点がある。しかし、代わりの構造では、３つの映像出力を制御する１つのタッチ画面があるのが好ましい。従って、発表者は、３つの個々のタッチ画面に注釈を付けるというよりはむしろ、タッチ画面上で画像から画像へ切り換える。
【００８３】
このシステムの典型的な使用は、プレゼンテーションに関する複数の画面のチャプターをロードするために「チャプター」ボタンを選択することから開始する。プレゼンテーションアプリケーションに対する制御インターフェースとして講師の画面を用いれば、ツールバーの左側及び右側ボタンを用いてページを左右へ交互に送信する。あるいはまた、プレゼンテーションに対して画面をどのように指向するかについて自動的に制御する初期設定プレファレンスを保存できる。特定の映写された画像に注釈を付けるために、図１０の講師の画面インターフェース上で見られる小さい表示ウィンドウ上で注釈ツールを用いることができる。あるいはまた、発表者が（ウィンドウ上をクリックすることにより、あるいは、タブボタンを用いて）現在のプロジェクタ画面の１つを選択すれば、対応の左側または右側の画面の画像が、図１１に示すようなタッチ画面領域をほとんど満たすまで拡大される。このことにより、拡大されたウィンドウに注釈を更に正確に加えることができる。何らかの注釈を付け終った後、プレゼンテーションが再開できるように、「講師の画面」タブ上でクリックして、混成のマルチウィンドウ表示された講師の画面を再び出現させる。
【００８４】
図１２，１３，１４には、図１のマルチ表示環境内で、あるいは、図９の単一画面表示環境内で利用できる「ズーム」機能を示す。双方の環境で機能がほとんど同じなので、図１２〜１４に示した例示的な実施形態は、まさに単一画面表示環境のそれである。前に記述したシナリオに加えて１３０２。このツールは、大部分のコンピュータユーザーによく知られたクリックアンドドラッグ動作を用いるのが好ましい。
【００８５】
図１４には、スライド１４０２の一部分１４０４がツール１３０６で選択された後、ウィンドウがどのように変化するかを示す。特に、左側の表示画面はもはや空白ではなく、左側のウィンドウ１４０６に示すようなスライドの「ズームイン」部分を表示する。ウィンドウ１４０２内のスライドの表示も、選択された部分１４０４を強調する陰影表示のような幾つかの視覚的な手掛かりを含むように変化する。ウィンドウ１２０４は、プレゼンテーションでの次のスライドを示し続ける。
【００８６】
注釈付けに関しては、前述したツール及び方法を用いて左側のウィンドウ１４０６及び右側のウィンドウ１４０２の双方に注釈を付けることができる。
【００８７】
本発明の特定の実施形態を開示したが、当然のことながら、様々な異なる変更形態が可能であって、真の精神及び特許請求の範囲内で意図される。従って、ここで提示した厳密な抜粋または開示に限定するつもりはない。
【図１】
0005634257.tif 000002
【図２】
0005634257.tif 000003
【図３】
0005634257.tif 000004
【図４】
0005634257.tif 000005
【図５】
0005634257.tif 000006
【図６】
0005634257.tif 000007
【図７】
0005634257.tif 000008
【図８】
0005634257.tif 000009
【図９】
0005634257.tif 000010
【図１０】
0005634257.tif 000011
【図１１】
0005634257.tif 000012
【図１２】
0005634257.tif 000013
【図１３】
0005634257.tif 000014
【図１４】
0005634257.tif 000015